(57)【要約】【課題】エアクリーナからオイルが滴下して地面を汚してしまう問題を防止し得るクローズドブリーザシステムを提供する。【解決手段】エンジン側から抜き出したブローバイガス１をガス戻し管６を介し吸気管７に戻すようにしたクローズドブリーザシステムに関し、吸気管７におけるガス戻し管６の接続箇所とエアクリーナ１０との間に前記吸気管７の壁面を流れ落ちたオイル８を収容するオイルピット１５を設けると共に、該オイルピット１５の底部からオイル８を流下させて所要場所に回収し得るように構成する。【選択図】図１
2015063973.tif 000002
【特許請求の範囲】
【請求項１】
エンジン側から抜き出したブローバイガスをガス戻し管を介し吸気管に戻すようにしたクローズドブリーザシステムであって、吸気管におけるガス戻し管の接続箇所とエアクリーナとの間に前記吸気管の壁面を流れ落ちたオイルを収容するオイルピットを設けると共に、該オイルピットの底部からオイルを流下させて所要場所に回収し得るように構成したことを特徴とするクローズドブリーザシステム。
【請求項２】
吸気管の長手方向の適宜位置における最下端部に形成された開口部と、該開口部を下方から被覆するように吸気管の外周に装着され且つその底部にオイル排出口を備えたオイル回収容器とによりオイルピットを構成し、前記オイル排出口を連絡管を介してエンジンのオイルパンと接続したことを特徴とする請求項１に記載のクローズドブリーザシステム。
【請求項３】
オイルピットの開口部をドリル加工により相互に重ならないよう間を空けて穿設した複数のドリル穴により構成したことを特徴とする請求項２に記載のクローズドブリーザシステム。
【請求項４】
オイルピットの開口部の周囲を所要の余剰代分だけ大きめにオイル回収容器で被覆し、該オイル回収容器の上部開口の全周で前記余剰代の部分が内側に張り出してオイル返し部を成すように構成したことを特徴とする請求項２又は３に記載のクローズドブリーザシステム。
【発明の詳細な説明】
【技術分野】
【０００１】
本発明は、クローズドブリーザシステムに関するものである。
【背景技術】
【０００２】
エンジンの圧縮行程と爆発行程においてピストンリングの間隙よりクランクケースへ漏れ出るブローバイガスは、クランクケース内及び該クランクケースと連通しているシリンダヘッドカバー内に充満してくるため、これらの内部から外部に抜き出す必要があるが、クランクケース内ではクランク軸及びコネクティングロッド等が高速で動いており、クランクケースと連通するシリンダヘッドカバー内においてもロッカアーム及びバルブ等が作動しているため、クランクケースやシリンダヘッドカバーの内部はオイルミストが充満した状態にある。
【０００３】
このため、ブローバイガスをそのまま大気放出してしまうと、該ブローバイガスに混合しているオイルミストも外部へ排出されてしまう虞れがあるため、図６に示す如く、ブローバイガス１中のオイルミストを分離回収するための濾網又はラビリンス構造を内蔵したベンチレータ２（ＣＣＶ：Closed Crankcase Ventilator）を設け、エンジン３のシリンダヘッドカバー４からガス抜出管５を介して抜き出したブローバイガス１を前記ベンチレータ２を通すことによりオイルミストを分離回収してからガス戻し管６を介して吸気管７に戻し、前記ベンチレータ２で回収したオイル８をオイル回収管９を介し図示しないオイルパンへと戻すようにしている。
【０００４】
尚、図６中における１０はエアクリーナ、１１はターボチャージャ、１１ａはコンプレッサ、１１ｂはタービン、１２はインタークーラ、１３は吸気、１４は排気ガスを夫々示している。
【０００５】
一般的に、前述の如きブローバイガス１をクローズドサーキットで処理するシステムはクローズドブリーザシステムと称されているが、この種のクローズドブリーザシステムに関連する先行技術文献情報としては下記の特許文献１等がある。
【先行技術文献】
【特許文献】
【０００６】
【特許文献１】特開２００３−２７８５２３号公報
【発明の概要】
【発明が解決しようとする課題】
【０００７】
しかしながら、斯かる従来のクローズドブリーザシステムにおいては、ブローバイガス１に含まれるオイルミストをベンチレータ２で分離回収しているものの、該ベンチレータ２でオイルミストを完全に取り切ることは困難であり、取り切れなかった微量のオイルミストがブローバイガス１の流れに随伴して吸気管７に入り込み、該吸気管７の壁面に付着してオイルの液滴となってエアクリーナ１０まで流下し、該エアクリーナ１０から滴下して地面を汚してしまうという問題があった。
【０００８】
特にトラック等の運搬車両では、エアクリーナ１０がシャシ付けとなることから低い位置にレイアウトされるケースが多く、吸気管７におけるガス戻し管６の接続箇所からエアクリーナ１０にかけての部位が下り勾配となり易かったため、車両を停止して荷の積み卸し作業を行っている間に得意先の敷地内を汚してしまうことがあり、エアクリーナ１０からのオイルの滴下を防ぐ対策が求められている。
【０００９】
本発明は上述の実情に鑑みてなしたもので、エアクリーナからオイルが滴下して地面を汚してしまう問題を防止し得るクローズドブリーザシステムを提供することを目的としている。
【課題を解決するための手段】
【００１０】
本発明は、エンジン側から抜き出したブローバイガスをガス戻し管を介し吸気管に戻すようにしたクローズドブリーザシステムであって、吸気管におけるガス戻し管の接続箇所とエアクリーナとの間に前記吸気管の壁面を流れ落ちたオイルを収容するオイルピットを設けると共に、該オイルピットの底部からオイルを流下させて所要場所に回収し得るように構成したことを特徴とするものである。
【００１１】
而して、このようにすれば、ブローバイガスの流れに随伴してオイルミストが吸気管に入り込み、該吸気管の壁面に付着してオイルの液滴となって流れ落ちても、そのオイルの液滴はエアクリーナに至るより先にオイルピットに収容され、該オイルピットの底部から流下して所要場所に回収されるため、エアクリーナからのオイルの滴下が未然に防止されることになる。
【００１２】
また、本発明をより具体的に実施するにあたっては、例えば、吸気管の長手方向の適宜位置における最下端部に形成された開口部と、該開口部を下方から被覆するように吸気管の外周に装着され且つその底部にオイル排出口を備えたオイル回収容器とによりオイルピットを構成し、前記オイル排出口を連絡管を介してエンジンのオイルパンと接続することが可能である。
【００１３】
更に、このようにオイルピットを構成する場合には、オイルピットの開口部をドリル加工により相互に重ならないよう間を空けて穿設した複数のドリル穴により構成することが好ましく、このようにすれば、汎用のドリル工具を用いて簡単にオイルピットの開口部を穿設することが可能となり、しかも、各開口部相互の間に管肉部分が残ることで前記各開口部周囲の管内への反り返りが生じ難くなる。
【００１４】
また、オイルピットの開口部の周囲を所要の余剰代分だけ大きめにオイル回収容器で被覆し、該オイル回収容器の上部開口の全周で前記余剰代の部分が内側に張り出してオイル返し部を成すように構成することが好ましく、このようにすれば、オイルピット内に収容されたオイルが車両振動により揺動しても、オイル返し部によりオイルの吸気管側への逆戻りが阻止されることになる。
【発明の効果】
【００１５】
上記した本発明のクローズドブリーザシステムによれば、下記の如き種々の優れた効果を奏し得る。
【００１６】
（Ｉ）本発明の請求項１、２に記載の発明によれば、ブローバイガスの流れに随伴して吸気管内に入り込んだオイルの液滴をエアクリーナに至るより先にオイルピットに収容し、該オイルピットの底部から流下させて所要場所に回収することができるので、エアクリーナからオイルが滴下して地面を汚してしまう問題を防止することができる。
【００１７】
（ＩＩ）本発明の請求項３に記載の発明によれば、汎用のドリル工具を用いて簡単にオイルピットの開口部を穿設することができるので、オイルピットの加工費を安価に抑えることができ、しかも、各開口部相互の間に管肉部分が残ることで前記各開口部周囲の管内への反り返りを生じ難くすることができるので、このような反り返りによる圧力損失の上昇を回避することができる。
【００１８】
（ＩＩＩ）本発明の請求項４に記載の発明によれば、オイルピット内に収容されたオイルが車両振動により揺動しても、オイル返し部によりオイルの吸気管側への逆戻りを阻止することができるので、より一層確実にエアクリーナからのオイルの滴下を防止することができる。
【図面の簡単な説明】
【００１９】
【図１】本発明を実施する形態の一例を示す側面図である。
【図２】図１のＩＩ−ＩＩ方向の矢視図である。
【図３】複数のドリル穴を部分的に重ねて開口部を加工した例を示す図である。
【図４】図３のＩＶ−ＩＶ矢視の９０°右回転した断面図である。
【図５】図２のＶ−Ｖ矢視の９０°右回転した断面図である。
【図６】従来例を示す概略図である。
【発明を実施するための形態】
【００２０】
以下本発明の実施の形態を図面を参照しつつ説明する。
【００２１】
図１は本発明を実施する形態の一例を示すもので、図６と同一の符号を付した部分は同一物を表わしている。
【００２２】
図１及び図２に示す如く、本形態例においては、図６の場合と同様に、エンジン３（図６参照）側から抜き出したブローバイガス１をガス戻し管６を介し吸気管７に戻すようにしたクローズドブリーザシステムに関し、吸気管７におけるガス戻し管６の接続箇所とエアクリーナ１０との間に前記吸気管７の壁面を流れ落ちたオイル８を収容するオイルピット１５を設けると共に、該オイルピット１５の底部からオイル８を流下させて所要場所に回収し得るように構成したところを特徴としており、より具体的には、吸気管７の長手方向の適宜位置における最下端部に形成された開口部１６と、該開口部１６を下方から被覆するように吸気管７の外周に装着され且つその底部にオイル排出口１７を備えたオイル回収容器１８とによりオイルピット１５を構成し、前記オイル排出口１７を連絡管１９を介してエンジン３（図６参照）のオイルパン（図示せず）と接続するようにしている。
【００２３】
ここで、オイルピット１５の開口部１６を加工するにあたっては、汎用のドリル工具を用いて簡単に穿設することができるが、図３及び図４に示すように、複数のドリル穴を部分的に重ねて開口部１６を加工してしまうと、その重なり部分にできる先の尖った残部ｘが管内への反り返りを生じ、これが圧力損失の上昇を招いてしまうので、図２に鎖線で示す如く、ドリル加工により相互に重ならないよう間を空けて複数のドリル穴を穿設して開口部１６とし、該各開口部１６相互の間に管肉部分を残して前記各開口部１６周囲の管内への反り返りを生じ難くしている。
【００２４】
また、図２及び図５に示す如く、オイルピット１５の開口部１６の周囲は、所要の余剰代分だけ大きめにオイル回収容器１８で被覆されるようになっており、該オイル回収容器１８の上部開口の全周で前記余剰代の部分が内側に張り出してオイル返し部２０を成すようになっている。
【００２５】
而して、このようにすれば、ブローバイガス１の流れに随伴してオイルミストが吸気管７に入り込み、該吸気管７の壁面に付着してオイル８の液滴となって流れ落ちても、そのオイル８の液滴はエアクリーナ１０に至るより先にオイルピット１５に収容され、該オイルピット１５の底部から流下して所要場所に回収されるため、エアクリーナ１０からのオイル８の滴下が未然に防止されることになる。
【００２６】
更に、前述した通り、オイルピット１５の開口部１６をドリル加工により相互に重ならないよう間を空けて穿設した複数のドリル穴により構成しているので、汎用のドリル工具を用いて簡単にオイルピット１５の開口部１６を穿設することが可能となり、しかも、各開口部１６相互の間に管肉部分が残ることで前記各開口部１６周囲の管内への反り返りが生じ難くなる。
【００２７】
また、オイルピット１５の開口部１６の周囲を所要の余剰代分だけ大きめにオイル回収容器１８で被覆し、該オイル回収容器１８の上部開口の全周で前記余剰代の部分が内側に張り出してオイル返し部２０を成すように構成しているので、オイルピット１５内に収容されたオイル８が車両振動により揺動しても、オイル返し部２０によりオイル８の吸気管７側への逆戻りが阻止されることになる。
【００２８】
従って、上記形態例によれば、ブローバイガス１の流れに随伴して吸気管７内に入り込んだオイル８の液滴をエアクリーナ１０に至るより先にオイルピット１５に収容し、該オイルピット１５の底部から流下させて所要場所に回収することができるので、エアクリーナ１０からオイル８が滴下して地面を汚してしまう問題を防止することができる。
【００２９】
また、汎用のドリル工具を用いて簡単にオイルピット１５の開口部１６を穿設することができるので、オイルピット１５の加工費を安価に抑えることができ、しかも、各開口部１６相互の間に管肉部分が残ることで前記各開口部１６周囲の管内への反り返りを生じ難くすることができるので、このような反り返りによる圧力損失の上昇を回避することができる。
【００３０】
更に、オイルピット１５内に収容されたオイル８が車両振動により揺動しても、オイル返し部２０によりオイル８の吸気管７側への逆戻りを阻止することができるので、より一層確実にエアクリーナ１０からのオイル８の滴下を防止することができる。
【００３１】
尚、本発明のクローズドブリーザシステムは、上述の形態例にのみ限定されるものではなく、オイルピットの底部から流下させたオイルは、必ずしもエンジンのオイルパンに回収しなくても良く、例えば、専用のオイルタンクを別途装備して該オイルタンクに回収するようにしても良いこと、その他、本発明の要旨を逸脱しない範囲内において種々変更を加え得ることは勿論である。
【符号の説明】
【００３２】
１      ブローバイガス
３      エンジン
６      ガス戻し管
７      吸気管
８      オイル
１０      エアクリーナ
１５      オイルピット
１６      開口部
１７      オイル排出口
１８      オイル回収容器
１９      連絡管
２０      オイル返し部
【図１】
2015063973.tif 000003
【図２】
2015063973.tif 000004
【図３】
2015063973.tif 000005
【図４】
2015063973.tif 000006
【図５】
2015063973.tif 000007
【図６】
2015063973.tif 000008